(57)【特許請求の範囲】
【請求項１】
（Ａ）一般式：ＲａＳｉＯ（４−ａ）／２（ここでＲは各々独立に炭素原子数１〜２０の非置換またはハロゲン原子により水素原子の一部が置換された１価の炭化水素基または水酸基であり、１．８≦ａ≦２．２である）で示される、オルガノポリシロキサンまたはオルガノポリシロキサン混合物 １００重量部、
（Ｂ）分子中に、窒素原子を含有する有機基およびエポキシ基を含有する有機基からなる群から選択される１種類以上の有機基を有することを特徴とする、２５℃における粘度が１０〜１００，０００ｍＰａ・ｓのオルガノシロキサン ０．５〜３５重量部、
（Ｃ）エチレングリコール脂肪酸エステル類、ポリエチレングリコール脂肪酸エステル類、プロピレングリコール脂肪酸エステル類、ポリプロピレングリコール脂肪酸エステル類、グリコール脂肪酸エステル類、トリメチロールプロパン脂肪酸エステル類、ペンタエリスリット脂肪酸エステル類、グルコシド誘導体類、グリセリンアルキルエーテル脂肪酸エステル類、トリメチロールプロパンオキシエチレンアルキルエーテル類、ラノリンおよびその誘導体類、ヒマシ油誘導体類、硬化ヒマシ油誘導体類、ステロールおよびその誘導体類、ポリオキシエチレンアルキルエーテル類、ポリオキシエチレンアルキルアリルエーテル類、ポリオキシエチレントリメチロールプロパン脂肪酸エステル類、ポリオキシエチレンアルキルエーテル脂肪酸エステル類、ポリオキシエチレンポリオキシプロピレングリコール類、ポリオキシエチレンポリオキシプロピレンアルキルエーテル類、ポリオキシエチレンポリオキシプロピレン多価アルコールエーテル類、グリセリン脂肪酸エステル類、ポリグリセリン脂肪酸エステル類、ポリオキシエチレングリセリン脂肪酸エステル類、ソルビタン脂肪酸エステル類、ポリオキシエチレンソルビタン脂肪酸エステル類、ショ糖脂肪酸エステル類、及び、その混合物からなる群から選択される非イオン性界面活性剤 ０．５〜３５重量部、
（Ｄ）アルコール類及びエーテル類から選択される水溶性溶剤 ０．５〜１５重量部および
（Ｅ）水 １０〜１５０重量部 からなり、
組成物中の（Ｆ）イオン性界面活性剤の含有量が成分（Ａ）１００重量部に対して０．１重量部未満であることを特徴とする、水中油型オルガノポリシロキサンエマルジョン組成物。
【請求項２】
成分（Ｂ）が、分子中に下記構造式（１）〜（５）で表される１種類以上の１価の有機基を有するオルガノシロキサンであることを特徴とする、請求項１に記載の水中油型オルガノポリシロキサンエマルジョン組成物。
構造式（１）：
【化１】
0005551341.tif 000023
構造式（２）：
【化２】
0005551341.tif 000024
構造式（３）：
【化３】
0005551341.tif 000025
構造式（４）：
【化４】
0005551341.tif 000026
構造式（５）：
【化５】
0005551341.tif 000027
（構造式（１）〜（５）中、
Ｒ１は各々独立に、非置換またはハロゲン原子により水素原子の一部が置換された炭素原子数１〜２０の２価の炭化水素基であり、
Ｒ２は各々独立に、水素原子、非置換またはハロゲン原子により水素原子の一部が置換された炭素原子数１〜２０の１価炭化水素基およびカルビノール基からなる群から選択される１価の官能基であり、
Ｒ３は非置換またはハロゲン原子により水素原子の一部が置換された炭素原子数１〜１０の２価の炭化水素基であり、
Ｒ４は水素原子、非置換またはハロゲン原子により水素原子の一部が置換された炭素原子数１〜５０の１価炭化水素基、カルビノール基およびポリオキシアルキレン基からなる群から選択される１価の官能基または、他の炭化水素系化合物またはオルガノポリシロキサンに結合した２価の有機基である。））
【請求項３】
成分（Ｂ）が、さらに、分子中に下記構造式（６）で表される直鎖状もしくは分岐鎖状のアルキレン基または構造式（７）で表されるオキシアルキレン基を有するオルガノシロキサンであることを特徴とする、請求項２に記載の水中油型オルガノポリシロキサンエマルジョン組成物。
構造式（６）：
−ＣｑＨ２ｑ− （６）
（式中、ｑは２〜２０の数である。）
構造式（７）：
−ＣＨ２−ＣＨＲ５−Ｏ− （７）
（式中、Ｒ５は水素原子または非置換もしくはハロゲン原子により水素原子の一部が置換された炭素原子数１〜２０の１価の炭化水素基である。） 
【請求項４】
成分（Ｄ）がアルコール類であることを特徴とする、請求項１に記載の水中油型オルガノポリシロキサンエマルジョン組成物。
【請求項５】
レーザー回折・散乱法により測定したエマルジョン粒子の平均粒子径が１〜１００μｍの範囲であることを特徴とする、請求項１〜請求項４のいずれか１項に記載の水中油型オルガノポリシロキサンエマルジョン組成物。 
【請求項６】
成分（Ａ）が２５℃における粘度が０．６５〜３０，０００，０００ｍＰａ・ｓの鎖状メチルポリシロキサン類，環状メチルポリシロキサン類またはこれらのメチルポリシロキサン類の混合物であり、
成分（Ｂ）が下記構造式（８）で表される直鎖状オルガノポリシロキサンであり、
成分（Ｃ）がエチレングリコール脂肪酸エステル類、ポリエチレングリコール脂肪酸エステル類、プロピレングリコール脂肪酸エステル類、ポリプロピレングリコール脂肪酸エステル類、グリコール脂肪酸エステル類、トリメチロールプロパン脂肪酸エステル類、ペンタエリスリット脂肪酸エステル類、グルコシド誘導体類、グリセリンアルキルエーテル脂肪酸エステル類、トリメチロールプロパンオキシエチレンアルキルエーテル類、ラノリンおよびその誘導体類、ヒマシ油誘導体類、硬化ヒマシ油誘導体類、ステロールおよびその誘導体類、ポリオキシエチレンアルキルエーテル類、ポリオキシエチレンアルキルアリルエーテル類、ポリオキシエチレントリメチロールプロパン脂肪酸エステル類、ポリオキシエチレンアルキルエーテル脂肪酸エステル類、ポリオキシエチレンポリオキシプロピレングリコール類、ポリオキシエチレンポリオキシプロピレンアルキルエーテル類、ポリオキシエチレンポリオキシプロピレン多価アルコールエーテル類、グリセリン脂肪酸エステル類、ポリグリセリン脂肪酸エステル類、ポリオキシエチレングリセリン脂肪酸エステル類、ソルビタン脂肪酸エステル類、ポリオキシエチレンソルビタン脂肪酸エステル類、ショ糖脂肪酸エステル類、及び、その混合物からなる群から選択される非イオン性界面活性剤からなり、
成分（Ｄ）がアルコール類であることを特徴とする請求項１に記載の水中油型オルガノポリシロキサンエマルジョン組成物。
構造式（８）：
【化６】
0005551341.tif 000028
（式中、
Ｒは各々独立に非置換またはハロゲン原子により水素原子の一部が置換された炭素原子数１〜２０の１価炭化水素基であり、
Ｒａは各々独立に
構造式（１）：
【化７】
0005551341.tif 000029
構造式（２）：
【化８】
0005551341.tif 000030
構造式（３）：
【化９】
0005551341.tif 000031
構造式（４）：
【化１０】
0005551341.tif 000032
構造式（５）：
【化１１】
0005551341.tif 000033
（構造式（１）〜（５）中、
Ｒ１は各々独立に、非置換またはハロゲン原子により水素原子の一部が置換された炭素原子数１〜２０の２価の炭化水素基であり、
Ｒ２は各々独立に、水素原子、非置換またはハロゲン原子により水素原子の一部が置換された炭素原子数１〜２０の１価炭化水素基およびカルビノール基からなる群から選択される１価の官能基であり、
Ｒ３は非置換またはハロゲン原子により水素原子の一部が置換された炭素原子数１〜１０の２価の炭化水素基であり、
Ｒ４は水素原子、非置換またはハロゲン原子により水素原子の一部が置換された炭素原子数１〜５０の１価炭化水素基、カルビノール基およびポリオキシアルキレン基からなる群から選択される１価の官能基または、他の炭化水素系化合物またはオルガノポリシロキサンに結合した２価の有機基である。））
で表される１価の有機基からなる群から選択される１価の有機基であり、
Ｒｂは水酸基，カルビノール基，メルカプト基，カルボキシル基からなる群から選択される１価の官能基であり、
Ｒｃは、下記構造式（６’）で表される直鎖状もしくは分岐鎖状のアルキル基または下記構造式（７’）で表されるポリオキシアルキレン基であり、
Ｘは下記構造式（６）で表される直鎖状もしくは分岐鎖状のアルキレン基または下記構造式（７）で表されるオキシアルキレン基であり、
Ｙは各々独立にＲ，Ｒａ，ＲｂおよびＲｃから選択される基である。
（ｎ＋ｍ＋ｐ＋ｒ＋ｓ）は、オルガノポリシロキサンの２５℃における粘度が１０〜１００，０００ｍＰａ・ｓの範囲となる数であり、ｎ，ｍ，ｐ，ｒ，ｓは各々独立に０または正の数である。ただし、ｍ＝０のとき、Ｙの一方または両方が、Ｒａで表される有機基である。）
構造式（６’）：
−ＣｑＨ２ｑ＋１ （６’）
（式中、ｑは２〜２０の数である。）
構造式（７’）：
【化１２】
0005551341.tif 000034
（式中、Ｒ１は、非置換またはハロゲン原子により水素原子の一部が置換された炭素原子数１〜２０の２価の炭化水素基であり、Ｒ６は、水素原子、非置換またはハロゲン原子により水素原子の一部が置換された炭素原子数１〜２０の１価炭化水素基およびカルビノール基からなる群から選択される１価の官能基である。また、ｔ１またはｔ２は各々０または正の数であり、（ｔ１＋ｔ２）は１〜５０の範囲の数となる関係を満たす。） 
構造式（６）：
−ＣｑＨ２ｑ− （６）
（式中、ｑは２〜２０の数である。）
構造式（７）：
−ＣＨ２−ＣＨＲ５−Ｏ− （７）
（式中、Ｒ５は水素原子または非置換もしくはハロゲン原子により水素原子の一部が置換された炭素原子数１〜２０の１価の炭化水素基である。）
【請求項７】
請求項１〜６のいずれかに記載の水中油型オルガノポリシロキサンエマルジョン組成物からなる化粧料原料。
【請求項８】
請求項１〜６のいずれかに記載の水中油型オルガノポリシロキサンエマルジョン組成物からなる頭髪化粧料原料。
【請求項９】
頭髪化粧料の製造工程において、製造容器中にイオン性界面活性剤と水を投入した後、請求項１〜６のいずれかに記載の水中油型オルガノポリシロキサンエマルジョン組成物を製造容器中に投入し、機械力を用いて混合する工程を含むことを特徴とする頭髪化粧料の製造方法。
【発明の詳細な説明】
【技術分野】
【０００１】
本発明は、水中油型オルガノポリシロキサンエマルジョン組成物、該エマルジョン組成物からなる化粧料原料および該エマルジョン組成物を用いることを特徴とする頭髪化粧料の製造方法に関するものである。より詳しくは、本発明は、保存安定性に優れ、長期間に渡って分離を発生することがない水中油型オルガノポリシロキサンエマルジョン組成物に関するものである。また、本発明は、イオン性乳化剤を実質的に含有しないため、化粧料の基剤の種類を問わず配合することができ、配合安定性に優れ、該エマルジョン組成物からなる化粧料原料および該エマルジョン組成物を用いることを特徴とする頭髪化粧料の製造方法に関するものである。
【背景技術】
【０００２】
水中油型オルガノシロキサンエマルジョン組成物は、繊維処理剤、離型剤、化粧料、艶出し剤などの原料として、広い工業分野に渡り使用されている。特に化粧料の用途においては、シャンプーやリンスなどの頭髪用化粧料へと配合した際に高いコンディショニング効果が期待されることから、大粒子径の水中油型オルガノシロキサンエマルジョン組成物が開示されている。
【０００３】
例えば、特許文献１（特開平１１−１４８０１１号公報）では、オルガノシロキサン、カチオン性界面活性剤、多価アルコール、水から成り、平均粒子径が１〜２０ミクロンのカチオン性エマルジョン組成物が開示されている。また、特許文献２（特開平７−１８８５５７号公報）では、オルガノシロキサン、アニオン性界面活性剤、水から成り、平均粒子径が３〜１００ミクロンのアニオン性エマルジョン組成物が開示されている。
【０００４】
これらのエマルジョン組成物中は頭髪化粧料等の原料として使用されるものであるが、イオン性界面活性剤が必須成分であり、シャンプーやリンスなどの頭髪化粧料に使用される基剤のイオン性によっては、該エマルジョン組成物を配合後の安定性が著しく損なわれることがある。
【０００５】
すなわち、カチオン性界面活性剤からなる頭髪化粧料基剤に、アニオン性エマルジョン組成物を配合したような場合、基剤とエマルジョン組成物の界面活性剤の電荷が相殺されて、界面活性能が低下し、頭髪化粧料のエマルジョン破壊が起きる場合がある。また、該アニオン性エマルジョン組成物をカチオン性界面活性剤からなる頭髪化粧料に配合した結果、頭髪化粧料組成物の粘度の低下、構成成分の経時的な分離、頭髪化粧料の洗浄力の低下、感触の経時的悪化を引き起こす場合がある。アニオン性界面活性剤からなる頭髪化粧料基剤に、カチオン性エマルジョン組成物を配合する場合でも同様である。
【０００６】
このため、いずれのイオン性界面活性剤を基剤とする頭髪化粧料に対しても配合が容易な、イオン性乳化剤を実質的に含有しない非イオン性水中油型オルガノポリシロキサンエマルジョン組成物からなる頭髪化粧料原料が望まれていた。特に、頭髪化粧料の感触向上に優れる大粒子径の水中油型オルガノポリシロキサンエマルジョン組成物であって、イオン性乳化剤を実質的に含有しないものが強く望まれていた。
【０００７】
しかし、従来公知の非イオン性水中油型オルガノシロキサンエマルジョン組成物は、特に大粒子径の水中油型オルガノシロキサンエマルジョン組成物を調製する場合、経時的に該エマルジョン組成物に分離が発生するという問題があり、化粧料原料として使用するに足る長期の保存安定性の改善が強く望まれていた。
【０００８】
【特許文献１】特開平１１−１４８０１１号公報
【特許文献２】特開平７−１８８５５７号公報
【発明の開示】
【発明が解決しようとする課題】
【０００９】
上記課題を解決すべく、発明者らは鋭意検討を行い、本発明に到達した。すなわち、本発明の目的は、イオン性界面活性剤を実質的に含有することなく、長期に渡ってエマルジョン組成物の分離を生じない、保存安定性に優れた非イオン性水中油型オルガノポリシロキサンエマルジョン組成物を提供することである。特に、本発明は、レーザー回折・散乱法により測定したエマルジョン粒子の平均粒子径が１〜１００μｍの範囲であり、大粒子径かつ保存安定性に優れた非イオン性水中油型オルガノポリシロキサンエマルジョン組成物を提供することを目的とするものである。
【００１０】
また、本発明は、上記非イオン性水中油型オルガノポリシロキサンエマルジョン組成物の化粧料原料、特に頭髪化粧料原料としての好適な用途を提供するものであり、また該非イオン性水中油型オルガノポリシロキサンエマルジョン組成物を使用した頭髪化粧料の製造方法を提供するものである。
【課題を解決するための手段】
【００１１】
上記目的は、
「  ［１］  （Ａ）一般式：ＲａＳｉＯ（４−ａ）／２（ここでＲは各々独立に炭素原子数１〜２０の非置換またはハロゲン原子により水素原子の一部が置換された１価の炭化水素基または水酸基であり、１．８≦ａ≦２．２である）で示される、オルガノポリシロキサンまたはオルガノポリシロキサン混合物  １００重量部、
（Ｂ）分子中に、窒素原子を含有する有機基およびエポキシ基を含有する有機基からなる群から選択される１種類以上の有機基を有することを特徴とする、２５℃における粘度が１０〜１００，０００ｍＰａ・ｓのオルガノシロキサン  ０．５〜３５重量部、
（Ｃ）非イオン性界面活性剤  ０．５〜３５重量部、
（Ｄ）水溶性溶剤  ０．５〜１５重量部および
（Ｅ）水  １０〜１５０重量部  からなり、
組成物中の（Ｆ）イオン性界面活性剤の含有量が成分（Ａ）１００重量部に対して０．１重量部未満であることを特徴とする、水中油型オルガノポリシロキサンエマルジョン組成物。
［１−１］  （Ｆ）イオン性界面活性剤の含有量が成分（Ａ）１００重量部に対して０．０１重量部未満であることを特徴とする、［１］の水中油型オルガノポリシロキサンエマルジョン組成物。
［２］  成分（Ｂ）が、分子中に下記構造式（１）〜（５）で表される１種類以上の１価の有機基を有するオルガノシロキサンであることを特徴とする、［１］に記載の水中油型オルガノポリシロキサンエマルジョン組成物。
構造式（１）：
【化１】
0005551341.tif 000002
構造式（２）：
【化２】
0005551341.tif 000003
構造式（３）：
【化３】
0005551341.tif 000004
構造式（４）：
【化４】
0005551341.tif 000005
構造式（５）：
【化５】
0005551341.tif 000006
（構造式（１）〜（５）中、
Ｒ１は各々独立に、非置換またはハロゲン原子により水素原子の一部が置換された炭素原子数１〜２０の２価の炭化水素基であり、
Ｒ２は各々独立に、水素原子、非置換またはハロゲン原子により水素原子の一部が置換された炭素原子数１〜２０の１価炭化水素基およびカルビノール基からなる群から選択される１価の官能基であり、
Ｒ３は非置換またはハロゲン原子により水素原子の一部が置換された炭素原子数１〜１０の２価の炭化水素基であり、
Ｒ４は水素原子、非置換またはハロゲン原子により水素原子の一部が置換された炭素原子数１〜５０の１価炭化水素基、カルビノール基およびポリオキシアルキレン基からなる群から選択される１価の官能基または、他の炭化水素系化合物またはオルガノポリシロキサンに結合した２価の有機基である。））
［３］  成分（Ｂ）が、さらに、分子中に下記構造式（６）で表される直鎖状もしくは分岐鎖状のアルキレン基または構造式（７）で表されるオキシアルキレン基を有するオルガノシロキサンであることを特徴とする、［２］に記載の水中油型オルガノポリシロキサンエマルジョン組成物。
構造式（６）：
−ＣｑＨ２ｑ−        （６）
（式中、ｑは２〜２０の数である。）
構造式（７）：
−ＣＨ２−ＣＨＲ５−Ｏ−        （７）
（式中、Ｒ５は水素原子または非置換もしくはハロゲン原子により水素原子の一部が置換された炭素原子数１〜２０の１価の炭化水素基である。）
［４］  成分（Ｄ）がアルコール類であることを特徴とする、［１］に記載の水中油型オルガノポリシロキサンエマルジョン組成物。
［４−１］  成分（Ｄ）がエタノール，プロピレングリコールおよびグリセリンからなる群から選択される１種類以上のアルコール類であることを特徴とする、［４］に記載の水中油型オルガノポリシロキサンエマルジョン組成物。
［５］  レーザー回折・散乱法により測定したエマルジョン粒子の平均粒子径が１〜１００μｍの範囲であることを特徴とする、［１］〜［４］のいずれかに記載の水中油型オルガノポリシロキサンエマルジョン組成物。
［６］  成分（Ａ）が２５℃における粘度が０．６５〜３０，０００，０００ｍＰａ・ｓの鎖状メチルポリシロキサン類，環状メチルポリシロキサン類またはこれらのメチルポリシロキサン類の混合物であり、
成分（Ｂ）が下記構造式（８）で表される直鎖状オルガノシロキサンであり、
成分（Ｃ）が非イオン性界面活性剤からなり、
成分（Ｄ）がアルコール類であることを特徴とする［１］に記載の水中油型オルガノポリシロキサンエマルジョン組成物。
構造式（８）：
【化６】
0005551341.tif 000007
構造式（６'）：
−ＣｑＨ２ｑ＋１        （６'）
（式中、ｑは２〜２０の数である。）
構造式（７'）：
【化７】
0005551341.tif 000008
（式中、Ｒ１は、非置換またはハロゲン原子により水素原子の一部が置換された炭素原子数１〜２０の２価の炭化水素基であり、Ｒ６は、水素原子、非置換またはハロゲン原子により水素原子の一部が置換された炭素原子数１〜２０の１価炭化水素基およびカルビノール基からなる群から選択される１価の官能基である。また、ｔ１またはｔ２は各々０または正の数であり、（ｔ１＋ｔ２）は１〜５０の範囲の数となる関係を満たす。）
［６−１］  成分（Ｃ）がＨＬＢ値の異なる２種類以上の非イオン性界面活性剤からなることを特徴とする、［６］に記載の水中油型オルガノポリシロキサンエマルジョン組成物。」により達成される。
【００１２】
また、上記目的は、
「［７］  ［１］〜［６］に記載の水中油型オルガノポリシロキサンエマルジョン組成物からなる化粧料原料。
［８］  ［１］〜［６］に記載の水中油型オルガノポリシロキサンエマルジョン組成物からなる頭髪化粧料原料。
［９］  頭髪化粧料の製造工程において、製造容器中にイオン性界面活性剤と水を投入した後、［１］〜［６］に記載の水中油型オルガノポリシロキサンエマルジョン組成物を製造容器中に投入し、機械力を用いて混合する工程を含むことを特徴とする頭髪化粧料の製造方法。」により達成される。
【発明の効果】
【００１３】
本発明により、イオン性界面活性剤を実質的に含有することなく、長期に渡ってエマルジョン組成物の分離を生じないため、保存安定性に優れる非イオン性水中油型オルガノポリシロキサンエマルジョン組成物を提供することができる。特に、本発明により、イオン性界面活性剤を実質的に含有することなく、レーザー回折・散乱法により測定したエマルジョン粒子の平均粒子径が１〜１００μｍの範囲であり、大粒子径かつ保存安定性に優れた非イオン性水中油型オルガノポリシロキサンエマルジョン組成物を提供することができる。
【００１４】
当該エマルジョン組成物は、イオン性界面活性剤を実質的に含有しないものであるため、化粧料の基剤となるイオン性界面活性剤の種類による制限を受けることなく、各種化粧料に配合することができ、保存安定性に優れるという利点がある。このため、本発明により、長期保管が可能であり、各種化粧料への配合安定性に優れることを特徴とする、当該エマルジョン組成物からなる化粧料原料を提供することができる。特に、本発明により、頭髪化粧料への配合安定性に優れることを特徴とする、当該エマルジョン組成物からなる頭髪化粧料原料を提供することができる。
【００１５】
本発明により提供される非イオン性水中油型オルガノポリシロキサンエマルジョン組成物のうち、レーザー回折・散乱法により測定したエマルジョン粒子の平均粒子径が１〜１００μｍの範囲である大粒子径のエマルジョン組成物は、毛髪への付着特性に極めて優れるものである。このため、当該大粒子径のエマルジョン組成物は保管安定性、頭髪化粧料への配合安定性に優れ、かつ頭髪化粧料の感触改善を図る上で極めて有用な頭髪化粧料原料である。
【００１６】
また、本発明の非イオン性水中油型オルガノポリシロキサンエマルジョン組成物を頭髪化粧料原料として用いることにより、イオン性界面活性剤からなる洗浄剤を基剤とする頭髪化粧料を製造する方法を提供することができる。
【発明を実施するための最良の形態】
【００１７】
はじめに、本発明の水中油型オルガノポリシロキサンエマルジョン組成物について詳細に説明する。本発明の水中油型オルガノポリシロキサンエマルジョン組成物は、後述する成分（Ａ）〜成分（Ｅ）からなる、本質的に非イオン性界面活性剤によって乳化された非イオン性水中油型オルガノポリシロキサンエマルジョン組成物であって、（Ｆ）イオン性界面活性剤を実質的に含有しないことを第１の特徴とする。より具体的には、組成物中の（Ｆ）イオン性界面活性剤の含有量が成分（Ａ）であるオルガノポリシロキサン  １００重量部に対して０．１重量部未満であり、より好ましくは、成分（Ａ）１００重量部に対して０．０１重量部未満であり、さらに好ましくは、成分（Ａ）１００重量部に対して０．００１重量部未満である。本発明においては、（Ｆ）イオン性界面活性剤を、エマルジョン組成物中に含有しないことが最も好ましい実施形態である。
【００１８】
本発明の水中油型オルガノポリシロキサンエマルジョン組成物中の（Ｆ）イオン性界面活性剤の含有量が前記上限を超えると、当該エマルジョン組成物を、化粧品原料として使用する際に、化粧品基剤として使用されるイオン性界面活性剤と当該エマルジョン組成物中の界面活性剤の電荷が相殺されて、界面活性能が低下し、化粧料のエマルジョン破壊が起きる場合がある。また、当該エマルジョン組成物を化粧料に配合した結果、化粧料組成物の粘度低下、洗浄力の低下、感触の経時的悪化、外観の不均一化等の悪影響を及ぼす場合がある。この傾向は、イオン性界面活性剤を洗浄成分として大量に含有する頭髪化粧料において、特に顕著である。
【００１９】
（Ｆ）イオン性界面活性剤は、アニオン性界面活性剤またはカチオン性界面活性剤であり、本発明の水中油型オルガノポリシロキサンエマルジョン組成物は、以下に例示されるイオン性界面活性剤を実質的に含有しないものである。
【００２０】
アニオン性界面活性剤としては、例えば、飽和若しくは不飽和高級脂肪酸塩（例えば、ラウリン酸ナトリウム、ステアリン酸ナトリウム、オレイン酸ナトリウム、リノレン酸ナトリウム等）、長鎖アルキル硫酸塩、アルキルベンゼンスルホン酸（例えば、ヘキシルベンゼンスルホン酸、オクチルベンゼンスルホン酸、ドデシルベンゼンスルホン酸等）及びその塩、ポリオキシアルキレンアルキルエーテル硫酸塩、ポリオキシアルキレンアルケニルエーテル硫酸塩、ポリオキシエチレンアルキル硫酸エステル塩、スルホコハク酸アルキルエステル塩、ポリオキシアルキレンスルホコハク酸塩、ポリオキシアルキレンスルホコハク酸アルキルエステル塩、ポリオキシアルキレン変性ジメチルポリシロキサンのスルホコハク酸エステルアルカリ金属塩、ポリオキシアルキレンアルキルフェニルエーテル硫酸塩、長鎖アルカンスルホン酸塩、長鎖アルキルスルホネート、ポリオキシエチレンアルキルフェニルエーテル硫酸塩、ポリオキシアルキレンアルキルエーテル酢酸塩、長鎖アルキルリン酸塩、ポリオキシアルキレンアルキルエーテルリン酸塩、アシルグルタミン酸塩、α−アシルスルホン酸塩、長鎖アルキルスルホン酸塩、アルキルアリルスルホン酸塩、長鎖α−オレフィンスルホン酸塩、アルキルナフタレンスルホン酸塩、長鎖アルカンスルホン酸塩、長鎖アルキル又はアルケニル硫酸塩、長鎖アルキルアミド硫酸塩、長鎖アルキル又はアルケニルリン酸塩、アルキルアミドリン酸塩、アルキロイルアルキルタウリン塩、Ｎ−アシルアミノ酸塩、スルホコハク酸塩、アルキルアルキルエーテルカルボン酸塩、アミドエーテルカルボン酸塩、α−スルホ脂肪酸エステル塩、アラニン誘導体、グリシン誘導体、アルギニン誘導体が挙げられる。上記の塩として、ナトリウム塩、カリウム塩等のアルカリ金属塩、トリエタノールアミン塩等のアルカノールアミン塩、アンモニウム塩が挙げられる。
【００２１】
カチオン性界面活性剤としては、例えば、塩化アルキルトリメチルアンモニウム、塩化ステアリルトリメチルアンモニウム、塩化ラウリルトリメチルアンモニウム、塩化セチルトリメチルアンモニウム、塩化牛脂アルキルトリメチルアンモニウム、塩化ベヘニルトリメチルアンモニウム、オクチルトリメチルアンモニウムヒドロキシド、ドデシルトリメチルアンモニウムヒドロキシド、臭化ステアリルトリメチルアンモニウム、臭化ベヘニルトリメチルアンモニウム、塩化ジステアリルジメチルアンモニウム、塩化ジココイルジメチルアンモニウム、塩化ジオクチルジメチルアンモニウム、塩化ジ（ＰＯＥ）オレイルメチルアンモニウム（２ＥＯ）、塩化ベンザルコニウム、塩化アルキルベンザルコニウム、塩化アルキルジメチルベンザルコニウム、塩化ベンゼトニウム、塩化ステアリルジメチルベンジルアンモニウム、ラノリン誘導四級アンモニウム塩、ステアリン酸ジエチルアミノエチルアミド、ステアリン酸ジメチルアミノプロピルアミド、塩化ベヘニン酸アミドプロピルジメチルヒドロキシプロピルアンモニウム、塩化ステアロイルコラミノホルミルメチルピリジニウム、塩化セチルピリジニウム、塩化トール油アルキルベンジルヒドロキシエチルイミダゾリニウム、ベンジルアンモニウム塩が挙げられる。
【００２２】
本発明の水中油型オルガノポリシロキサンエマルジョン組成物は、上記の（Ｆ）イオン性界面活性剤を実質的に含有せず、（Ａ）一般式：ＲａＳｉＯ（４−ａ）／２（ここでＲは各々独立に炭素原子数１〜２０の非置換またはハロゲン原子により水素原子の一部が置換された１価の炭化水素基または水酸基であり、１．８≦ａ≦２．２である）で示される、オルガノポリシロキサンまたはオルガノポリシロキサン混合物  １００重量部、（Ｂ）分子中に、窒素原子を含有する有機基およびエポキシ基を含有する有機基からなる群から選択される１種類以上の有機基を有することを特徴とする、２５℃における粘度が１０〜１０，０００ｍＰａ・ｓの直鎖状または分岐鎖状のオルガノシロキサン  ０．５〜３５重量部、（Ｃ）非イオン性界面活性剤  ０．５〜３５重量部、（Ｄ）水溶性溶剤  ０．５〜５重量部および（Ｅ）水  １０〜１５０重量部  からなることを第２の特徴とする。以下、成分（Ａ）〜成分（Ｅ）について詳細に説明する。
【００２３】
成分（Ａ）は本発明の非イオン性水中油型オルガノポリシロキサンエマルジョン組成物の主成分であり、一般式：ＲａＳｉＯ（４−ａ）／２で示される、オルガノポリシロキサンまたはオルガノポリシロキサン混合物である。
【００２４】
式中、Ｒは各々独立に炭素原子数１〜２０の非置換またはハロゲン原子により水素原子の一部が置換された１価の炭化水素基または水酸基であり、１．８≦ａ≦２．２である。Ｒは、具体的にはメチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基などの炭素原子数１〜２０のアルキル基からなる飽和脂肪族炭化水素基、ビニル基、プロペニル基、ヘキセニル基などの炭素原子数１〜２０のアルケニル基からなる不飽和脂肪族炭化水素基、シクロペンチル基、シクロヘキシル基などの飽和脂環式炭化水素基、フェニル基、トリル基、ナフチル基などの芳香族炭化水素基およびこれらの炭化水素基中の水素原子の一部がフッ素等のハロゲン原子により置換されたフルオロアルキル基等のフッ化炭化水素基が例示される。かかるＲは、全てのＲのうち７０モル％以上がメチル基であることが好ましく、Ｒのうち９０モル％以上がメチル基であることがより好ましい。
【００２５】
成分（Ａ）であるオルガノポリシロキサンは、２５℃における粘度が０．６５〜３０，０００，０００ｍＰａ・ｓであることが好ましく、オルガノポリシロキサンの分子構造は環状、直鎖状、分岐鎖状および樹脂状のいずれの構造であっても使用することができる。
【００２６】
また、成分（Ａ）であるオルガノポリシロキサンは単独であっても良く、２種類以上のオルガノポリシロキサンからなるオルガノポリシロキサンの混合物であっても良く、これらは任意の比率で混合して使用することができる。
【００２７】
このようなオルガノポリシロキサンの具体的な例としては、２５℃における粘度が０．６５〜３０，０００，０００ｍＰａ・ｓの範囲にあるジメチルポリシロキサン、メチルフェニルポリシロキサン、α，ω−ジヒドロキシジメチルポリシロキサン等の鎖状メチルポリシロキサン；オクタメチルシクロテトラシロキサン、デカメチルシクロペンタシロキサン、ドデカメチルシクロヘキサシロキサン等の環状メチルポリシロキサンが例示される。本発明においては、これらのオルガノポリシロキサンは単独で、あるいは複数組み合わせた混合物として使用される。
【００２８】
かかる成分（Ａ）がオルガノポリシロキサンの混合物であるとき、成分（Ａ）として、粘度の異なる２種類以上の鎖状メチルポリシロキサンの混合物または比較的高重合度の鎖状メチルポリシロキサンとオクタメチルシクロテトラシロキサン等の環状メチルポリシロキサンの混合物が好ましく使用できる。特に、本発明にかかる非イオン性水中油型オルガノポリシロキサンエマルジョン組成物を、頭髪化粧料原料として使用する場合、成分（Ａ）が、２５℃における粘度が３，０００〜３０，０００，０００ｍＰａ・ｓの範囲にある比較的高重合度の鎖状メチルポリシロキサンを１種類以上含むオルガノポリシロキサンの混合物であること好ましい。かかる高重合度の鎖状メチルポリシロキサンの使用により、該エマルジョン組成物の配合により頭髪化粧料の使用感がさらに改善されることが期待できるためである。
【００２９】
より具体的には、オルガノポリシロキサンの混合物である成分（Ａ）として、成分（Ａ−１）：２５℃における粘度が３，０００〜３０，０００，０００ｍＰａ・ｓの範囲にある鎖状メチルポリシロキサンと、成分（Ａ−２）：２５℃における粘度が０．６５〜５，０００ｍＰａ・ｓの範囲にあり、前記の成分（Ａ−１）よりも低粘度である鎖状メチルポリシロキサンとを１：９９〜９９：１の重量比で混合した混合物が好ましく使用できる。また、本発明の成分（Ａ）として、前記の成分（Ａ−１）が２５℃における粘度が５，０００〜３０，０００，０００ｍＰａ・ｓの範囲にある鎖状メチルポリシロキサンであり、前記の成分（Ａ−２）が２５℃における粘度が０．６５〜３，０００ｍＰａ・ｓの範囲にある鎖状メチルポリシロキサンとを５：９５〜９５：５の重量比で混合した混合物がさらに好ましく使用できる。
【００３０】
同様に、オルガノポリシロキサンの混合物である成分（Ａ）として、２５℃における粘度が３，０００〜１０，０００，０００ｍＰａ・ｓの範囲にある鎖状メチルポリシロキサンとオクタメチルシクロテトラシロキサン、デカメチルシクロペンタシロキサン、ドデカメチルシクロヘキサシロキサンからなる群から選択される１種類以上の環状メチルポリシロキサンとを１：９９〜９９：１の重量比で混合した混合物が好ましく使用でき、５：９５〜９５：５の重量比で混合した混合物が特に好ましく使用できる。
【００３１】
成分（Ｂ）は特定の官能基を有する有機変性シロキサンであり、成分（Ｃ）である非イオン性界面活性剤および成分（Ｄ）である水溶性溶剤と共に使用することにより、本発明の非イオン性水中油型オルガノポリシロキサンエマルジョン組成物の分離を抑制し、保存安定性を著しく改善する成分である。本発明のエマルジョン組成物において、成分（Ｂ）は成分（Ａ）１００重量部に対して０．５〜３５重量部の範囲で添加することが必要であり、好ましくは１．０〜２５重量部の範囲であり、より好ましくは１．５〜２０重量部の範囲である。
【００３２】
成分（Ｂ）の配合量が前記下限未満では非イオン性水中油型オルガノポリシロキサンエマルジョン組成物の保存安定性が不十分となり、早期（目安として、数日から４週間程度の保管期間）に分離を生じる場合がある。一方、成分（Ｂ）の配合量が前記上限を超えると、非イオン性水中油型オルガノポリシロキサンエマルジョン組成物の粘度が高過ぎて取り扱いが困難になる場合がある他、該エマルジョン組成物の保存安定性が不十分となり、早期に分離を生じる場合がある。
【００３３】
成分（Ｂ）である有機変性シロキサンは、分子中に、窒素原子を含有する有機基およびエポキシ基を含有する有機基からなる群から選択される１種類以上の有機基を有することを特徴とする、２５℃における粘度が１０〜１００，０００ｍＰａ・ｓのオルガノシロキサンである。
【００３４】
成分（Ｂ）中の窒素原子を含有する有機基は、具体的には、下記構造式（１）で表されるアミノ基，（２）で表されるジアミノ基および下記構造式（５）で表されるアミド結合を有する有機基が例示される。
【００３５】
構造式（１）：
【化８】
0005551341.tif 000009
【００３６】
構造式（２）：
【化９】
0005551341.tif 000010
【００３７】
構造式（５）：
【化１０】
0005551341.tif 000011
【００３８】
上記構造式（１），（２）および（５）において、Ｒ１は各々独立に、非置換またはハロゲン原子により水素原子の一部が置換された炭素原子数１〜２０の２価の炭化水素基であり、炭素原子数２〜１０の直鎖状もしくは分岐鎖状のアルキレン基、フロロアルキレン基またはアリーレン基が例示される。本発明において、好適なＲ１としてエチレン基，プロピレン基，ブチレン基が例示される。
【００３９】
Ｒ２は各々独立に、水素原子、非置換またはハロゲン原子により水素原子の一部が置換された炭素原子数１〜２０の１価炭化水素基およびカルビノール基からなる群から選択される１価の官能基であり、水素原子，直鎖状もしくは分岐鎖状の炭素原子数１〜１０のアルキル基，フロロアルキル基，アラルキル基またはアリール基が例示される。本発明において、好適なＲ２として水素原子，メチル基，エチル基，プロピル基，フェニル基，ベンジル基が例示される。
【００４０】
Ｒ３は非置換またはハロゲン原子により水素原子の一部が置換された炭素原子数１〜１０の２価の炭化水素基であり、直鎖状もしくは分岐鎖状の炭素原子数１〜５のアルキレン基が例示される。本発明において、好適なＲ１としてメチレン基，エチレン基，プロピレン基，ブチレン基が例示される。
【００４１】
Ｒ４は水素原子、非置換またはハロゲン原子により水素原子の一部が置換された炭素原子数１〜５０の１価炭化水素基、カルビノール基およびポリオキシアルキレン基からなる群から選択される１価の官能基または、他の炭化水素系化合物またはオルガノシロキサンに結合した２価の有機基であり、水素原子，直鎖状もしくは分岐鎖状の炭素原子数１〜２０のアルキル基，フロロアルキル基，アラルキル基またはアリール基が例示される。また、他の炭化水素系化合物またはオルガノシロキサンに結合した２価の有機基として、炭素原子数２〜１０の直鎖状もしくは分岐鎖状のアルキレン基、フロロアルキレン基またはアリーレン基が例示される。本発明において、構造式（５）で示されるアミド結合を有する有機基は、脂肪酸アミド変性基または脂肪酸ポリエーテルアミド変性基であることが好ましく、好適なＲ４として、水素原子、直鎖状もしくは分岐鎖状の炭素原子数１〜５０のアルキル基，フロロアルキル基，アラルキル基、アリール基またはポリオキシアルキレン基が例示される。
【００４２】
成分（Ｂ）中のエポキシ基を含有する有機基は、具体的には、下記構造式（３）で表されるエポキシ変性基および下記構造式（４）で表される脂環式エポキシ変性基が例示される。
【００４３】
構造式（３）：
【化１１】
0005551341.tif 000012
【００４４】
構造式（４）：
【化１２】
0005551341.tif 000013
【００４５】
上記構造式（３）および（４）において、Ｒ１，Ｒ２は前記同様の基であり、Ｒ２は特に好適には水素原子である。
【００４６】
本発明において、成分（Ｂ）は上記の窒素原子を含有する有機基およびエポキシ基を含有する有機基からなる群から選択される１種類以上の有機基を分子中に有するオルガノシロキサンであるが、さらに、分子中に下記構造式（６）で表される直鎖状もしくは分岐鎖状のアルキレン基または構造式（７）で表されるオキシアルキレン基を有することが好ましい。これらの２価の有機基は成分（Ｂ）の分子内の主鎖，側鎖または分子鎖末端のいずれの位置に結合するものであっても良い。
【００４７】
構造式（６）：
−ＣｑＨ２ｑ−        （６）
【００４８】
構造式（７）：
−ＣＨ２−ＣＨＲ５−Ｏ−        （７）
【００４９】
上記構造式（６）において、ｑは２〜２０の数であり、具体的には、炭素原子数３〜２０の直鎖状もしくは分岐鎖状のアルキレン基が例示される。さらに、構造式（６）で表される有機基が成分（Ｂ）の分子内の側鎖または分子鎖末端に結合している場合、かかる結合を有する有機基として、構造式（６'）で表される炭素原子数２〜２０の直鎖状もしくは分岐鎖状のアルキル基が好ましく例示される。パラフィン等の炭化水素系の油剤を多く含む化粧料に本発明のオルガノポリシロキサンエマルジョン組成物を配合する場合、炭化水素系の油剤との親和性を改善する目的で、炭素原子数８〜２０の長鎖アルキル基を分子内に有する成分（Ｂ）を好ましく使用することができる。
【００５０】
構造式（６'）：
−ＣｑＨ２ｑ＋１        （６'）
（式中、ｑは３〜２０の数である。）
【００５１】
上記構造式（７）において、Ｒ５は水素原子または非置換もしくはハロゲン原子により水素原子の一部が置換された炭素原子数１〜２０の１価の炭化水素基であり、水素原子，メチル基，エチル基，プロピル基およびフェニル基が例示される。Ｒ５として、好適には、水素原子またはメチル基例示される。
【００５２】
また、構造式（７）で表されるオキシアルキレン基は、１〜５０個が連結した構造であっても良い。すなわち、本発明の成分（Ｂ）として、オキシエチレン単位（Ｃ２Ｈ４Ｏ）またはオキシプロピレン単位（Ｃ３Ｈ６Ｏ）を含むポリオキシアルキレン結合を分子中に有するオルガノポリシロキサンを好適に使用することができる。
【００５３】
さらに、構造式（７）で表される有機基が成分（Ｂ）の分子内の側鎖または分子鎖末端に結合している場合、かかる結合を有する有機基として、構造式（７'）で表されるポリオキシアルキレン基が挙げられる。
【００５４】
構造式（７'）：
【化１３】
0005551341.tif 000014
【００５５】
上記構造式（７'）中、Ｒ１は、前記同様の基である。Ｒ６は、水素原子、非置換またはハロゲン原子により水素原子の一部が置換された炭素原子数１〜２０の１価炭化水素基およびカルビノール基からなる群から選択される１価の官能基であり、本発明においては水素原子，メチル基，エチル基およびヒドロキシエチル基が例示される。また、ｔ１またはｔ２は各々０または正の数であり、（ｔ１＋ｔ２）は１〜５０の範囲の数となる関係を満たす。（ｔ１＋ｔ２）は、２〜４０の範囲の数であることが特に好ましい。
【００５６】
上記成分（Ｂ）は、その他の官能基（Ｒｂ）として、水酸基，ヒドロキシエチル基のようなカルビノール基，メルカプト基，カルボキシル基からなる群から選択される１価の官能基を有するものであっても良く、本発明の目的に反しない限り、シロキサンデンドリマー構造を有するシリコーン鎖状構造や糖鎖変性基等の構造式（１）〜（７），（６'）および（７'）に該当しない有機基を分子内に導入した有機変性シロキサンであってもよい。
【００５７】
このような成分（Ｂ）であるオルガノシロキサンとして、下記構造式（８）で表される直鎖状オルガノシロキサンが例示される。
【００５８】
構造式（８）：
【化１４】
0005551341.tif 000015
【００５９】
上記構造式（８）中、Ｒは各々独立に非置換またはハロゲン原子により水素原子の一部が置換された炭素原子数１〜２０の１価炭化水素基であり、具体的にはメチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基などの炭素原子数１〜２０のアルキル基からなる飽和脂肪族炭化水素基；ビニル基、プロペニル基、ヘキセニル基などの炭素原子数１〜２０のアルケニル基からなる不飽和脂肪族炭化水素基；シクロペンチル基、シクロヘキシル基などの飽和脂環式炭化水素基、フェニル基、トリル基、ナフチル基などの芳香族炭化水素基およびこれらの炭化水素基中の水素原子の一部がフッ素等のハロゲン原子により置換されたフルオロアルキル基等のフッ化炭化水素基が例示される。かかるＲは、全てのＲのうち７０モル％以上がメチル基であることが好ましく、Ｒのうち９０モル％以上がメチル基であることがより好ましい。
【００６０】
式中、Ｒａは各々独立に上記構造式（１）〜（５）で表される１価の有機基からなる群から選択される１価の有機基であり、ｍ＝０のとき、構造式（８）で示されるオルガノシロキサンの両末端または片末端の有機基ＹはＲａである。すなわち、構造式（８）で示されるオルガノシロキサンは、分子中に構造式（１）〜（５）で表される１価の有機基からなる群から選択される１価の有機基を一つ以上含む。
【００６１】
Ｒｂは水酸基，カルビノール基，メルカプト基，カルボキシル基からなる群から選択される１価の官能基であり、Ｒｃは、上記構造式（６'）で表される直鎖状もしくは分岐鎖状のアルキル基または上記構造式（７'）で表されるポリオキシアルキレン基である。本発明の成分（Ｂ）において、Ｒｃはポリオキシエチレン基、ポリオキシプロピレン基またはこれら両方の単位からなるポリオキシアルキレン基であることが好ましい。
【００６２】
Ｘは上記構造式（６）で表される直鎖状もしくは分岐鎖状のアルキレン基または上記構造式（７）で表されるオキシアルキレン基であり、分子中でＸまたはＸからなる連鎖官能基がシロキサン単位と交互に結合した分子鎖を形成してもよい。ＹはＲ，Ｒａ，ＲｂおよびＲｃから選択される基である。ただし、ｍ＝０のとき、Ｙの一方または両方がＲａである。
【００６３】
（ｎ＋ｍ＋ｐ＋ｒ＋ｓ）の値は、オルガノポリシロキサンの２５℃における粘度が１０〜１００，０００ｍＰａ・ｓの範囲となる数であり、ｎ，ｍ，ｐ，ｒ，ｓは各々独立に０または正の数であり、（ｎ＋ｍ）は５０〜１，０００の範囲の数であることが好ましい。また、本発明の成分（Ｂ）において、（ｎ＋ｍ＋ｐ＋ｒ＋ｓ）は、オルガノシロキサンの２５℃における粘度が１００〜７５，０００ｍＰａ・ｓの範囲となる数であることが好ましく、３００〜５０，０００ｍＰａ・ｓの範囲となる数であることがさらに好ましい。
【００６４】
本発明の成分（Ｂ）は、その分子内に１つ以上のＲａの他、分子鎖の末端（−Ｙ）、側鎖（−Ｒｃ）および主鎖（−Ｘr−）から選択される部分に、ポリオキシエチレン基またはポリオキシプロピレン基を含むポリオキシアルキレン基を１以上有することが特に好ましい。すなわち、ｒまたはｓが正の数であるか、ｒ＝０かつｓ＝０であるとき、Ｙの少なくとも一方がポリオキシアルキレン基であることが好ましい。
【００６５】
かかる成分（Ｂ）として最も好適には、２５℃における粘度が１００〜５０，０００ｍＰａ・ｓの範囲である有機変性シロキサンであって、アミノ変性シロキサン，エポキシ変性シロキサン，脂肪族アミド変性シロキサン，アミノポリエーテル変性シロキサン，アミドポリエーテル変性シロキサンおよびエポキシポリエーテル変性シロキサンからなる群から選択されるものが例示される。これらの成分（Ｂ）である有機変性シロキサンは、単独でも、複数組み合せて使用することもできる。
【００６６】
成分（Ｃ）は非イオン性界面活性剤であり、本発明にかかる水中油型オルガノポリシロキサンエマルジョンの主たる界面活性剤であり、前述の成分（Ｂ）および後述の成分（Ｄ）と共に使用することにより、イオン性界面活性剤を実質的に使用することなく、長期間に渡り安定な乳化分散状態を形成する。
【００６７】
本発明のエマルジョン組成物において、成分（Ｃ）は成分（Ａ）１００重量部に対して０．５〜３５重量部の範囲で添加することが必要であり、好ましくは１．０〜２５重量部の範囲であり、より好ましくは１．５〜２０重量部の範囲である。
【００６８】
成分（Ｃ）の配合量が前記下限未満では非イオン性水中油型オルガノポリシロキサンエマルジョン組成物の保存安定性が不十分となり、早期（目安として、数日から４週間程度の保管期間）に分離を生じる場合がある。一方、成分（Ｃ）の配合量が前記上限を超えると、非イオン性水中油型オルガノポリシロキサンエマルジョン組成物の粘度が高過ぎて取り扱いが困難になる場合がある他、該エマルジョン組成物の保存安定性が不十分となり、早期に分離を生じる場合がある。
【００６９】
本発明で使用される成分（Ｃ）として、エチレングリコール脂肪酸エチル類、ポリエチレングリコール脂肪酸エステル類、プロピレングリコール脂肪酸エステル類、ポリプロピレングリコール脂肪酸エステル類、グリコール脂肪酸エステル類、トリメチロールプロパン脂肪酸エステル類、ペンタエリスリット脂肪酸エステル類、グルコシド誘導体類、グリセリンアルキルエーテル脂肪酸エステル類、トリメチロールプロパンオキシエチレンアルキルエーテル類、脂肪酸アミド類、アルキロールアミド類、アルキルアミンオキシド類、ラノリンおよびその誘導体類、ヒマシ油誘導体類、硬化ヒマシ油誘導体類、ステロールおよびその誘導体類、ポリオキシエチレンアルキルエーテル類、ポリオキシエチレンアルキルアリルエーテル類、ポリオキシエチレンアルキルアミン類、ポリオキシエチレン脂肪酸アミド類、ポリオキシエチレンアルキロールアミド類、ポリオキシエチレンジエタノールアミン脂肪酸エステル類、ポリオキシエチレントリメチロールプロパン脂肪酸エステル類、ポリオキシエチレンアルキルエーテル脂肪酸エステル類、ポリオキシエチレンポリオキシプロピレングリコール類、ポリオキシエチレンポリオキシプロピレンアルキルエーテル類、ポリオキシエチレンポリオキシプロピレン多価アルコールエーテル類、グリセリン脂肪酸エステル類、ポリグリセリン脂肪酸エステル類、ポリオキシエチレングリセリン脂肪酸エステル類、ソルビタン脂肪酸エステル類、ポリオキシエチレンソルビタン脂肪酸エステル類、ショ糖脂肪酸エステル類、メチル（ポリオキシエチレン）シロキサン・ジメチルシロキサン共重合体、メチル（ポリオキシプロピレン）シロキサン・ジメチルシロキサン共重合体が例示される。本発明においては、これらの化合物は単独で、あるいは複数組み合わせて使用される。
【００７０】
本発明のエマルジョン組成物においては、１種類または２種類以上のＨＬＢ値を有する非イオン性界面活性剤を使用することが、大粒子径のエマルジョン組成物の乳化安定性およびエマルジョン組成物の保存安定性の点から特に好ましい。本発明でいうＨＬＢ値（親水性親油性バランス値）はグリフィンの方法により定義されるＨＬＢを基準として、ＨＬＢ４．０〜１１．０の範囲の範囲にある１種類以上の非イオン性界面活性剤とＨＬＢ１１．１〜２０．０の範囲にある１種類以上の非イオン性界面活性剤とを０．５：９．５〜９．５：０．５の重量比の範囲内で併用することが好ましい。また、エマルジョン組成物の粒子径および成分（Ａ）の種類および濃度に応じて、ＨＬＢ値の異なる２種類以上の非イオン性界面活性剤の最適な重量比の範囲を適宜選択することができる。
【００７１】
成分（Ｄ）は水溶性の溶剤であって、分子内に水酸基やエーテル結合などの構造を有する親水性化合物である。該成分（Ｄ）を前述の成分（Ｂ）および成分（Ｃ）と共に使用することにより、イオン性界面活性剤を実質的に使用することなく、長期間に渡り安定な乳化分散状態を形成することができる。
【００７２】
本発明のエマルジョン組成物において、成分（Ｄ）は成分（Ａ）１００重量部に対して０．５〜１５重量部の範囲で添加することが必要であり、好ましくは０．７５〜１０重量部、さらに好ましくは１．０〜５．０重量部の範囲である。
【００７３】
成分（Ｄ）の配合量が前記下限未満では非イオン性水中油型オルガノポリシロキサンエマルジョン組成物の保存安定性が不十分となり、早期（目安として、数日から４週間程度の保管期間）に分離を生じる場合がある。一方、成分（Ｄ）の配合量が前記上限を超えると、非イオン性水中油型オルガノポリシロキサンエマルジョン組成物の粘度が高過ぎて取り扱いが困難になる場合がある他、該エマルジョン組成物の保存安定性が不十分となり、早期に分離を生じる場合がある。
【００７４】
本発明で使用される成分（Ｄ）として、アルコール類およびエーテル類が例示され、特に、アルコール類が好ましく、炭素原子数１〜２０の脂肪族アルコール類および多価アルコール類が好適に使用できる。具体的には、成分（Ｄ）として、エタノール、ｎ−プロパノール、イソプロピルアルコール、エイコサングリコール、エチレングリコール、ブチルジグリコール、オクタコサングリコール、オクタデカングリコール、グリセリン、ポリエチレングリコール、ジエチレングリコール、ジグリセリン、ジプロピレングリコール、テトラコサングリコール、テトラメチルトリヒドロキシヘキサデカン、ドコサングリコール、トリエチレングリコール、１，３−ブチレングリコール、プロピレングリコール、ヘキサコサングリコール、ヘキサデカングリコール、ヘキシレングリコール、エチレングリコールモノメチルエーテル、エチレングリコールモノブチルエーテル、トリメチロールプロパン、ペンタエリスリトール、ソルビトール等が挙げられる。最も好適には、エタノール，ジプロピレングリコールおよびグリセリンからなる群から選択される１種類以上のアルコール類が成分（Ｄ）として使用され、本発明においてはこれらの化合物は単独で、あるいは複数組み合わせて使用できる。
【００７５】
成分（Ｅ）は水であり、本発明にかかるエマルジョン組成物の分散媒である。水は、人体に有害な成分を含有せず、清浄であることが好ましく、水道水、精製水、ミネラルウォーターが挙げられる。
【００７６】
本発明のエマルジョン組成物において、成分（Ｅ）は成分（Ａ）１００重量部に対して１０〜１５０重量部の範囲で添加することが必要であり、好ましくは２０〜１００重量部、さらに好ましくは３０〜７０重量部の範囲である。成分（Ｅ）である水の添加量が前記範囲内であることは、本発明の効果の一つであるエマルジョン組成物の保存安定性を実現する上で重要である。
【００７７】
成分（Ｅ）の添加量が前記の下限未満では、非イオン性水中油型オルガノポリシロキサンエマルジョン組成物の粘度が高過ぎて取り扱いが困難になる場合がある他、該エマルジョン組成物の保存安定性が不十分となり、早期に分離を生じる場合がある。成分（Ｅ）の配合量が前記上限を超えると、前述の成分（Ａ）〜成分（Ｄ）を併用した乳化系であっても、非イオン性水中油型オルガノポリシロキサンエマルジョン組成物、特に大粒子径のエマルジョン組成物の保存安定性が不十分となり、早期（目安として、数日から４週間程度の保管期間）に分離を生じる場合がある。
【００７８】
本発明の水中油型オルガノポリシロキサンエマルジョン組成物は、上記の成分（Ａ）〜成分（Ｅ）からなり、（Ｆ）イオン性界面活性剤を実質的に含有しないことを特徴とするものであるが、得られたオルガノポリシロキサンエマルジョン組成物の他の組成物等への配合安定性をさらに向上させたり、当該エマルジョン製造後の雑菌等の繁殖による生物的汚染の防止、輸送容器の侵食の防止等の種々の目的で、オルガノポリシロキサンエマルジョンの添加剤として公知であるその他の添加剤を、本発明の目的を損なわない範囲で添加・配合することが可能である。
【００７９】
他の添加剤として、ｐＨ調整剤、防腐剤、防カビ剤、防錆剤、増粘剤、凝固点降下剤、凍結融解安定化剤、酸化防止剤、キレート化剤、香料、顔料、色素が例示される。本発明においてはこれらの成分は、単独あるいは複数組み合わせて添加することができる。特に、本発明の水中油型オルガノポリシロキサンエマルジョン組成物を化粧料原料として使用する場合、ｐＨ調整剤、防腐剤、防カビ剤、防錆剤を添加することが特に好ましい。
【００８０】
ｐＨ調整剤としては、塩酸、硫酸、リン酸、リン酸水素ニアンモニウム、リン酸水素ニナトリウム、リン酸水素ニカリウム、リン酸ニ水素アンモニウム、リン酸ニ水素ナトリウム、リン酸ニ水素カリウム、リン酸三ナトリウム、リン酸三カリウム、酢酸、酢酸アンモニウム、酢酸ナトリウム、酢酸カリウム、クエン酸、クエン酸ナトリウム、クエン酸ニアンモニウム、炭酸ナトリウム、炭酸カリウム、炭酸アンモニウム、炭酸水素ナトリウム、炭酸水素アンモニウム、水酸化ナトリウム、水酸化カリウム、アンモニア、トリエタノールアミン、乳酸、クエン酸、グリコール酸、コハク酸、酒石酸、ｄｌ−リンゴ酸等が挙げられ、塩酸、酢酸およびクエン酸が好ましく使用できる。これら２種類以上を併用してもよい。
【００８１】
防腐剤、防カビ剤、防錆剤として、安息香酸、安息香酸アルミニウム、安息香酸ナトリウム、イソプロピルメチルフェノール、エチルヘキサンジオール、塩化リゾチーム、塩酸クロルヘキシジン、オクチルフェノキシエタノール、オルトフェニルフェノール、過ホウ酸ナトリウム、感光素１０１号、感光素２０１号、感光素３０１号、感光素４０１号、グルコン酸クロルヘキシジン液、クレゾール、クロラミンＴ、クロルキシレノール、クロルクレゾール、クロルフェネシン、クロルヘキシジン、クロロブタノール、酢酸レゾルシン、サリチル酸、サリチル酸ナトリウム、臭化ドミフェン、ジンクピリチオン、ジンクピリチオン液、ソルビン酸、ソルビン酸カリウム、チアントール、チオキソロン、チモール、チラム、デヒドロ酢酸、デヒドロ酢酸ナトリウム、トリクロロカルバニリド、トリクロロヒドロキシジフェニルエーテル、パラオキシ安息香酸イソブチル、パラオキシ安息香酸イソプロピル、パラオキシ安息香酸エチル、パラオキシ安息香酸ブチル、パラオキシ安息香酸プロピル、パラオキシ安息香酸ベンジル、パラオキシ安息香酸メチル、パラオキシ安息香酸メチルナトリウム、パラクロルフェノール、パラフェノールスルホン酸ナトリウム（二水和物）、ハロカルバン、フェノキシエタノール、フェノール、ヘキサクロロファン、モノニトログアヤコール、モノニトログアヤコールナトリウム、ヨウ化パラジメチルアミノスチリルヘプチルメチルリアゾリニウム、ラウリルトリメチルアンモニウムトリクロロフェノキサイド、硫酸オキシキノリン、リン酸オキシキノリン、レゾルシン、亜硝酸ナトリウムが例示される。
【００８２】
増粘剤として、両性、カチオン性、アニオン性もしくは非イオン性の水溶性高分子または水膨潤性粘土鉱物が挙げられるが、本発明においては、非イオン性の水溶性高分子または水膨潤性粘土鉱物が好適であり、これらのうち２種類以上の増粘剤を併用することができる。より具体的には、カルボキシビニルポリマー、キサンタンガム、アクリル酸・メタクリル酸アルキル共重合体、ケイ酸アルミニウム・マグネシウムが例示される。
【００８３】
上記したその他の添加剤は、成分（Ｅ）である水の一部に溶解又は分散させて均一な水溶液又は分散液にしてから、他の成分と混合することが好ましい。なお、上記した他の添加剤の使用量は、添加剤の種類および添加する目的に応じて異なるが、成分（Ａ）１００重量部に対して１０重量部未満であることが一般的である。
【００８４】
本発明の水中油型オルガノポリシロキサンエマルジョン組成物のエマルジョン粒子径は、後述する乳化手段および上記の成分（Ａ）〜成分（Ｅ）の添加量に応じて適宜設計・選択することができる。また、本発明のエマルジョン組成物を化粧料原料、特に頭髪化粧料原料として使用する場合には、レーザー回折・散乱法により測定したエマルジョン粒子の平均粒子径（以下、単に「エマルジョンの平均粒子径」ということがある）が１〜１００μｍの範囲であることが好ましく、１〜２０μｍの範囲にあることがより好ましく、１．５〜１０μｍの範囲が最も好ましい。かかる大粒子径の水中油型オルガノポリシロキサンエマルジョン組成物を、頭髪化粧料に配合することにより、頭髪化粧料のすすぎ時における毛髪へのオルガノポリシロキサンの残留特性が向上し、毛髪に対し滑らかで、ハリとコシのある感触と光沢を付与し、かつ毛髪の櫛通り性を改善できる等の優れたコンディショニング効果を実現できるという利点がある。
【００８５】
さらに、本発明の水中油型オルガノポリシロキサンエマルジョン組成物は、前記の通り、（Ｆ）イオン性界面活性剤を実質的に使用することなく、エマルジョンの平均粒子径が１〜１００μｍの範囲である大粒子径の水中油型オルガノポリシロキサンエマルジョン組成物であっても、長期間にわたり保存安定性に優れる。
【００８６】
本発明の水中油型オルガノポリシロキサンエマルジョン組成物は、パドル翼付攪拌機、プロペラ攪拌器、ヘンシェル型攪拌機、ＴＫホモミクサー（特殊機化工業（株））、ＴＫホモディスパー（特殊機化工業（株））、高圧乳化装置やコロイドミル、真空乳化機のような公知の攪拌装置、混合装置或いは乳化装置を１種類または２種類以上用いて、上記の成分（Ａ）〜成分（Ｅ）および任意でその他の添加剤を機械力により乳化することで製造することができる。
【００８７】
ここで、高圧乳化装置とは、装置内で一次エマルジョンを加圧することにより、高速の液流とし、この液流を分岐させ、分岐した液流同士を衝突させたり、調節された微小間隙を通じてインパクトリングや回転体に衝突させたりすることにより発生する衝突力，剪断力，キャビテーション，乱流，超音波などにより一次エマルジョン中に含まれる油剤のエマルジョン粒子を粉砕し、均一かつ微細なエマルジョン粒子を形成させることを目的とした装置である。具体的には、超高圧ガウリン型ホモジナイザー（ゴーリン社），高圧ホモゲナイザー（（株）イズミフードマシナリー），高圧ホモジナイザー（Ｒａｎｎｉｅ製），マイクロフルイダイザー（Ｍｉｃｒｏｆｌｕｉｄｉｃｓ製），ナノマイザー（ナノマイザー（株））が例示される。
【００８８】
本発明のエマルジョン組成物を製造する場合、製造容器中で予めパドル翼付攪拌機等の攪拌混合装置により、成分（Ａ）〜成分（Ｅ）の一部を混合した後、高圧乳化装置やコロイドミル、コロイドミキサーのような高せん断力を有する乳化装置により、当該混合物を乳化し、さらに残部の成分（Ｅ）およびその他の添加剤を投入して攪拌混合することによりエマルジョン組成物を製造する方法が例示されるが、かかる製造方法に限定されるものではない。
【００８９】
本発明の水中油型オルガノポリシロキサンエマルジョン組成物は、化粧料原料として好適に使用することができる。本発明の水中油型オルガノポリシロキサンエマルジョン組成物を配合できる化粧料の用途は特に限定されず、皮膚洗浄剤、スキンケア化粧品、メイクアップ化粧品、制汗剤、紫外線防御剤等の皮膚化粧料；毛髪洗浄剤、整髪料、毛髪着色料、養毛料、ヘアリンス等の毛頭髪化粧料；浴用化粧料；香水、オーデコロン等であってよいが、頭髪化粧料に配合することが特に好ましい。
【００９０】
本発明の水中油型オルガノポリシロキサンエマルジョン組成物を配合できる頭髪化粧料として、毛髪用化粧品としては、シャンプー、リンスインシャプー等の毛髪用洗浄剤；ヘアオイル、髪用カール保持剤、セット剤、ヘアクリーム、へアスプレー、ヘアリキッド、ヘアワックス等の整髪料；染毛料、ヘアカラースプレー、ヘアカラーリンス、ヘアカラースティック等の毛髪用着色料；ヘアトニック、ヘアトリートメント、ヘアパック等の養毛料；コンディショナー、オイルリンス、クリームリンス、トリートメントリンス等のヘアリンスが挙げられる。
【００９１】
上記の頭髪化粧料は、製造容器中に頭髪化粧料の基剤となるイオン性界面活性剤と水を投入した後、本発明にかかる水中油型オルガノポリシロキサンエマルジョン組成物を製造容器中に投入し、機械力を用いて混合することにより製造することができる。
【００９２】
本発明の水中油型オルガノポリシロキサンエマルジョン組成物を頭髪化粧料の製造に使用することで、所望のオルガノポリシロキサンからなるエマルジョン粒子を、カチオン性／アニオン性界面活性剤のいずれのイオン性界面活性剤を基剤とする頭髪化粧料に対しても容易に配合することができ、頭髪化粧料中におけるオルガノポリシロキサンの配合安定性を著しく改善できる利点がある。さらに、大粒子径のオルガノポリシロキサンエマルジョンであっても長期間の保存が可能であり、エマルジョン組成物の製造後、実際に化粧料に配合して使用するまでに十分な保管期間を確保することができる。このため、使用前の再度の攪拌混合等のエマルジョン組成物の均一化操作が不要であるという、工業的な化粧料の製造工程における利点を有するものである。
【００９３】
上記の化粧料を収納する容器は、特に限定されるものではなく、ジャー、ポンプ、チューブ、ボトル、圧力缶吐出容器、耐圧エアゾール容器、遮光容器、コンパクト容器、金皿、スティック容器、繰り出し容器、噴霧容器、混合液吐出口を備えた仕切り付き容器等が挙げられる。水中油型エマルジョン型の化粧料である場合は、ジャー、ポンプ、ボトル、噴霧容器等が挙げられる。
【００９４】
本発明に係る水中油型オルガノポリシロキサンエマルジョン組成物は化粧料への配合安定性に優れるため、製造後の化粧料、特に頭髪化粧料はその経時安定性に優れ、粘度低下や分離等の経時的な外観変化やノズル詰まりを引き起こさないので、透明容器等に充填されても長期間安定に保管することができ、使用感および外観に優れた製品として店頭販売することが可能である。
【実施例】
【００９５】
以下、実施例および比較例を示し、本発明を具体的に説明するが、本発明は下記の実施例に限定されるものではない。実施例と比較例中、「部」は「重量部」を表す。「粘度」は２５℃において回転式粘度計を用いて測定した粘度を表す。また、調製した水中油型オルガノポリシロキサンエマルジョン組成物は、以下の方法により評価した。
【００９６】
［エマルジョン組成物の保存安定性］
調製したオルガノポリシロキサンエマルジョン組成物を２００ｃｃ容量のガラス瓶にはかりとり、室温下で静置した。目視により、エマルジョン組成物の状態を観察し、エマルジョンに分離が発生するまでの時間（週）を測定した。
【００９７】
［エマルジョン粒子の粒子径］
調製したオルガノポリシロキサンエマルジョン組成物のエマルジョン粒子の平均粒子径を、レーザ回折／散乱式粒度分布測定装置（堀場製作所製，ＬＡ−７５０）により測定したメジアン径（５０％累積平均粒子径）から平均粒子径を求めた。
【００９８】
［イオン性化粧品基剤への配合安定性］
後述する方法（調製例３および調製例４）により、イオン性界面活性剤を用いてイオン性化粧品基剤を調製した。容器に、当該イオン性化粧品基剤９７．０重量部とオルガノポリシロキサンエマルジョン組成物３．０重量部を入れ、全体が均一になるまで攪拌混合し、一日静置後に混合後の組成物の状態を目視で観察し、油相分離等の外観変化の有無を確認した。
【００９９】
［実施例１］
容器に（Ａ）ジメチルポリシロキサン（粘度約５０００ｍＰａ・ｓ）  １００．０部、（Ｂ）下記構造式（Ｐ−１）で示されるアミノ変性ジメチルポリシロキサン（粘度約１２００ｍＰａ・ｓ、アミノ基含有量  約０．９％）  ８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、（Ｄ）エタノール  ２．５部、（Ｅ）精製水 ４４．７部をはかり取り、均一になるまで攪拌・混合した。その後、この混合物をコロイドミルで乳化処理し、８０％酢酸を０．３部添加してエマルジョン組成物（１）を得た。
構造式：
【化１５】
0005551341.tif 000016
【０１００】
［実施例２］
容器に（Ａ）ジメチルポリシロキサン（粘度約５０００ｍＰａ・ｓ）  １００．０部、（Ｂ）上記構造式（Ｐ−１）で示されるアミノ変性ジメチルポリシロキサン（粘度約１２００ｍＰａ・ｓ、アミノ基含有量  約０．９％）  ８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、（Ｄ）グリセリン  ２．５部、（Ｅ）精製水 ４４．７部をはかり取り、均一になるまで攪拌・混合した。その後、この混合物をコロイドミルで乳化処理し、８０％酢酸を０．３部添加してエマルジョン組成物（２）を得た。
構造式：
【０１０１】
［実施例３］
容器に（Ａ）ジメチルポリシロキサン（粘度約５０００ｍＰａ・ｓ）  １００．０部、（Ｂ）下記構造式（Ｐ−２）で示されるアミノポリエーテル変性ジメチルポリシロキサン（粘度約６００ｍＰａ・ｓ、アミノ基含有量  約０．４％）  ８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、（Ｄ）プロピレングリコール（ＰＧ）  ２．５部、（Ｅ）精製水 ４４．７部をはかり取り、均一になるまで攪拌・混合した。その後、この混合物をコロイドミルで乳化処理し、８０％酢酸を０．３部添加してエマルジョン組成物（３）を得た。
構造式：
【化１６】
0005551341.tif 000017
【０１０２】
［実施例４］
容器に（Ａ）ジメチルポリシロキサン（粘度約５０００ｍＰａ・ｓ）  １００．０部、（Ｂ）下記構造式（Ｐ−３）で示されるアミドポリエーテル変性ジメチルポリシロキサン（粘度約１０００ｍＰａ・ｓ、アミノ基含有量  約０．３２％）  ８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、（Ｄ）プロピレングリコール（ＰＧ）  ２．５部、（Ｅ）精製水 ４５．０部をはかり取り、均一になるまで攪拌・混合した。その後、この混合物をコロイドミルで乳化処理し、エマルジョン組成物（４）を得た。
構造式：
【化１７】
0005551341.tif 000018
【０１０３】
［実施例５］
容器に（Ａ）ジメチルポリシロキサン（粘度約５０００ｍＰａ・ｓ）  １００．０部、（Ｂ）下記構造式（Ｐ−４）で示されるエポキシポリエーテル変性ジメチルポリシロキサン（粘度約３５００ｍＰａ・ｓ，エポキシ基含有量  ０．４％）  ８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、（Ｄ）プロピレングリコール（ＰＧ）  ２．５部、（Ｅ）精製水 ４５．０部をはかり取り、均一になるまで攪拌・混合した。その後、この混合物をコロイドミルで乳化処理し、エマルジョン組成物（５）を得た。
構造式：
【化１８】
0005551341.tif 000019
【０１０４】
［実施例６］
容器に（Ａ１）ジメチルポリシロキサン（粘度約２，０００，０００ｍＰａ・ｓ）および（Ａ２）デカメチルシクロペンタシロキサンの混合物（（Ａ１）および（Ａ２）の混合比は１５：８５であり、混合後の粘度は約１５００ｍＰａ・ｓである）  １００．０部、（Ｂ）上記構造式（Ｐ−１）で示されるアミノ変性ジメチルポリシロキサン（粘度約１２００ｍＰａ・ｓ、アミノ約０．９％）  ８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、（Ｄ）プロピレングリコール（ＰＧ）  ２．５部、（Ｅ）精製水 ４４．７部をはかり取り、均一になるまで攪拌・混合した。その後、この混合物をコロイドミルで乳化処理し、８０％酢酸を０．３部添加してエマルジョン組成物（６）を得た。
【０１０５】
［比較例１］
容器に（Ａ）ジメチルポリシロキサン（粘度約５０００ｍＰａ・ｓ）  １０８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、（Ｅ）精製水 ４７．５部をはかり取り、均一になるまで攪拌・混合した。その後、この混合物をコロイドミルで乳化処理し、エマルジョン組成物（７）を得た。
【０１０６】
［比較例２］
容器に（Ａ）ジメチルポリシロキサン（粘度約５０００ｍＰａ・ｓ）  １０８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、（Ｄ）プロピレングリコール（ＰＧ）  ２．５部、（Ｅ）精製水 ４７．５部をはかり取り、均一になるまで攪拌・混合した。その後、この混合物をコロイドミルで乳化処理し、エマルジョン組成物（８）を得た。
【０１０７】
［比較例３］
容器に（Ａ１）ジメチルポリシロキサン（粘度約２，０００，０００ｍＰａ・ｓ）および（Ａ２）デカメチルシクロペンタシロキサンの混合物（（Ａ１）および（Ａ２）の混合比は１５：８５であり、混合後の粘度は約１５００ｍＰａ・ｓである）  １００．０部、（Ｂ）アミノ変性ジメチルシロキサン（粘度約１２００ｍＰａ・ｓ、アミノ約０．９％）  ８．３部、（Ｃ−１）ポリオキシエチレン（４）ラウリルエーテル（ＨＬＢ＝９．７） ２．８部、（Ｃ−２）ポリオキシエチレン（２３）ラウリルエーテル（ＨＬＢ＝１６．９） ８．０部、、（Ｅ）精製水 ４７．２部をはかり取り、均一になるまで攪拌・混合した。その後、この混合物をコロイドミルで乳化処理し、８０％酢酸を０．３部添加してエマルジョン組成物（９）を得た。
【０１０８】
実施例１〜比較例３の各エマルジョン組成物（１）〜（９）の組成、エマルジョン粒子の平均粒子径（μｍ）および保存安定性（週）についてまとめた結果を下表１に示す。実施例および比較例にかかるエマルジョンの平均粒子径はほぼ同等であるが、実施例にかかるエマルジョン組成物の保存安定性は比較例のエマルジョン組成物より著しく優れていた。
【０１０９】
【表１】
0005551341.tif 000020
【０１１０】
［調製例１］
容器に（Ａ）ジメチルポリシロキサン（粘度約５０００ｍＰａ・ｓ）  １００．０部、（Ｂ）上記構造式（Ｐ−１）で示されるアミノ変性ジメチルポリシロキサン（粘度約１２００ｍＰａ・ｓ、アミノ約０．９％）  ８．３部、（Ｆ）ポリオキシエチレン（３）ラウリル硫酸ナトリウム（２５％水溶液）  ４３．３部、（Ｄ）プロピレングリコール（ＰＧ）  ２．５部、（Ｅ）精製水 １２．５部をはかり取り、均一になるまで攪拌・混合した。その後、この混合物をコロイドミルで乳化処理し、エマルジョン組成物（１０）を得た。その組成およびエマルジョン粒子の平均粒子径（μｍ）について表２に示す。
【０１１１】
［調製例２］
容器に（Ａ）ジメチルポリシロキサン（粘度約５０００ｍＰａ・ｓ）  １００．０部、（Ｂ）上記構造式（Ｐ−１）で示されるアミノ変性ジメチルポリシロキサン（粘度約１２００ｍＰａ・ｓ、アミノ約０．９％）  ８．３部、（Ｆ）塩化セチルトリメチルアンモニウム（３０％水溶液）  ３６．１部、（Ｄ）プロピレングリコール（ＰＧ）  ２．５部、（Ｅ）精製水 １９．７部をはかり取り、均一になるまで攪拌・混合した。その後、この混合物をコロイドミルで乳化処理し、エマルジョン組成物（１１）を得た。その組成およびエマルジョン粒子の平均粒子径（μｍ）について表２に示す。
【０１１２】
【表２】
0005551341.tif 000021
【０１１３】
［調製例３：  カチオン性化粧料基剤の調製］
容器に塩化ステアリルトリメチルアンモニウム（２８％水溶液）  ７．１部、セトステアリルアルコール  ２．０部、イオン交換水  ９０．９部をはかりとり、攪拌しながら液温が約８０℃になるまで加熱した。その後攪拌を継続したまま、室温になるまで徐々に冷却し、カチオン性化粧料基剤を得た。
【０１１４】
［調製例４：  アニオン性化粧料基剤の調製］
容器にポリオキシエチレン（３）ラウリル硫酸ナトリウム（２５％水溶液）  ４０．０部、イオン交換水  ６０．０部をはかりとり、室温で均一になるまで十分に混合し、アニオン性化粧料基剤を得た。
【０１１５】
［実施例７］
容器に調製例３で調製したカチオン性化粧料基剤  ９７．０部と、実施例２で調製したエマルジョン組成物（４）  ３．０部をはかりとり、均一になるまで混合した後、１日静置後に分離状態を確認したところ、エマルジョン組成物配合後のカチオン性化粧料基剤は均一であった。
【０１１６】
［比較例４］
実施例７でエマルジョン組成物（４）の代わりにエマルジョン組成物（１０）を使用して、混合後の分離状態を確認した。結果、エマルジョン組成物（１０）配合後のカチオン性化粧料基剤からオイル分離が生じていた。
【０１１７】
［実施例８］
容器に調製例４で調製したアニオン性化粧料基剤  ９７．０部と、実施例２で調製したエマルジョン組成物（４）  ３．０部をはかりとり、均一になるまで混合した後、１日静置後に分離状態を確認したところ、エマルジョン組成物配合後のカチオン性化粧料基剤は均一であった。
【０１１８】
［比較例５］
実施例８でエマルジョン組成物（４）の代わりにエマルジョン組成物（１１）を使用して、混合後の分離状態を確認した。結果、エマルジョン組成物（１１）配合後のアニオン性化粧料基剤からクリーム状の凝集物が生じていた。
【０１１９】
上記の実施例７，８および比較例４，５の結果を表３に示す。本発明にかかるエマルジョン組成物（４）は、カチオン性化粧料基剤およびアニオン性化粧料基剤のいずれのイオン性化粧料基剤にも安定に配合することができ、均一な分散状態を保っていた。
【０１２０】
【表３】
0005551341.tif 000022
【産業上の利用可能性】
【０１２１】
本発明の水中油型オルガノポリシロキサンエマルジョン組成物は、オルガノポリシロキサンのエマルジョン粒子を、イオン性界面活性剤やイオン性高分子等のイオン性基剤からなる製品に、安定に配合することができる利点があるため、種々の液状、ペースト状、エマルジョン状、デイスパージョン状、ゲル状などの化粧料、ヘルスケア製品、離型剤、撥水剤、繊維処理剤、表面処理剤などの添加剤として、また、それ自体が離型剤、撥水剤、繊維処理剤、表面処理剤、コーテイング剤、有機繊維織物やガラスクロスのバインダーとして有用である。特に、ポリオキシエチレンアルキル硫酸ナトリウムのようなアニオン性化合物、第４級アンモニウム塩系化合物のようなカチオン性化合物などを含有するイオン性の化粧料、特には毛髪化粧料や毛髪洗浄剤の添加剤としてきわめて有用であり、当該水中油型オルガノポリシロキサンエマルジョン組成物を用いることを特徴とする頭髪用化粧料の製造方法は、コンディショニング効果に優れた頭髪用化粧料を製造する上で、きわめて有用な方法である。